【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
情報記録装置により記録媒体に記録するための記録情報を、当該情報記録装置に対して出力する情報出力装置において、
前記記録媒体を識別するための識別情報を前記情報記録装置から取得する取得手段と、
取得した前記識別情報を用いて前記記録情報を暗号化する暗号化手段と、
暗号化された前記記録情報を前記情報記録装置に出力する出力手段と、
を備えることを特徴とする情報出力装置。
【請求項２】
請求項１に記載の情報出力装置において、
前記識別情報は、各前記記録媒体個々を識別するための識別情報であることを特徴とする情報出力装置。
【請求項３】
請求項１又は２に記載の情報出力装置において、
前記情報記録装置において当該記録情報に対して前記識別情報を用いて施される暗号化の方式と同じ方式によって、前記暗号化手段は前記記録情報を暗号化することを特徴とする情報出力装置。
【請求項４】
情報出力装置から出力される暗号化された記録情報を記録媒体に記録する情報記録装置であって、
前記情報出力装置に対して前記記録媒体の識別情報を出力する識別情報出力手段と、
暗号化された前記記録情報を前記情報出力装置から取得する記録情報取得手段と、
取得された前記記録情報を、当該暗号化された記録情報の生成に用いられた前記識別情報に対応する前記記録媒体に記録する記録手段と、
を備えることを特徴とする情報記録装置。
【請求項５】
請求項４に記載の情報記録装置において、
前記取得手段は、前記暗号化記録情報を電気通信回線を介して取得することを特徴とする情報記録装置。
【請求項６】
記録媒体に記録するための記録情報を情報記録装置に対して出力する情報出力装置と、当該出力された記録情報を前記記録媒体に記録する情報記録装置と、を含む情報出力記録システムにおいて、
前記情報出力装置は、
前記記録媒体を識別するための識別情報を前記情報記録装置から取得する取得手段と、
取得した前記識別情報を用いて前記記録情報を暗号化する暗号化手段と、
暗号化された前記記録情報を前記情報記録装置に出力する出力手段と、
を備えると共に、
前記情報記録装置は、
前記情報出力装置に対して前記識別情報を出力する識別情報出力手段と、
暗号化された前記記録情報を前記情報出力装置から取得する記録情報取得手段と、
取得された前記記録情報を、当該暗号化された記録情報の生成に用いられた前記識別情報に対応する前記記録媒体に記録する記録手段と、
を備えることを特徴とする情報出力記録システム。
【請求項７】
情報記録装置により記録媒体に記録するための記録情報を、当該情報記録装置に対して出力する情報出力方法において、
前記記録媒体を識別するための識別情報を前記情報記録装置から取得する取得工程と、
取得した前記識別情報を用いて前記記録情報を暗号化する暗号化工程と、
暗号化された前記記録情報を前記情報記録装置に出力する出力工程と、
を備えることを特徴とする情報出力方法。
【請求項８】
情報出力装置により出力される暗号化された記録情報を記録媒体に記録する情報記録方法であって、
前記情報出力装置に対して前記記録媒体の識別情報を出力する識別情報出力工程と、
暗号化された前記記録情報を前記情報出力装置から取得する記録情報取得工程と、
取得された前記記録情報を、当該暗号化された記録情報の生成に用いられた前記識別情報に対応する前記記録媒体に記録する記録工程と、
を備えることを特徴とする情報記録方法。
【請求項９】
情報記録装置により記録媒体に記録するための記録情報を、当該情報記録装置に対して出力する情報出力装置に含まれるコンピュータを機能させるための情報出力制御プログラムが前記コンピュータで読取可能に記録された情報記録媒体であって、
前記コンピュータを、
前記記録媒体を識別するための識別情報を前記情報記録装置から取得する取得手段、
取得した前記識別情報を用いて前記記録情報を暗号化する暗号化手段、及び、
暗号化された前記記録情報を前記情報記録装置に出力する出力手段、
として機能させることを特徴とする前記情報出力制御プログラムが前記コンピュータで読取可能に記録された情報記録媒体。
【請求項１０】
情報出力装置から出力される暗号化された記録情報を記録媒体に記録する情報記録装置に含まれるコンピュータを機能させるための情報記録制御プログラムが前記コンピュータで読取可能に記録された情報記録媒体であって、
前記コンピュータを、
前記情報出力装置に対して前記記録媒体の識別情報を出力する識別情報出力手段、
暗号化された前記記録情報を前記情報出力装置から取得する記録情報取得手段、及び、
取得された前記記録情報を、当該暗号化された記録情報の生成に用いられた前記識別情報に対応する前記記録媒体に記録する記録手段、
として機能させることを特徴とする前記情報記録制御プログラムが前記コンピュータで読取可能に記録された情報記録媒体。
【手続補正２】
【補正対象書類名】明細書
【補正対象項目名】００１０
【補正方法】変更
【補正の内容】
【００１０】
【課題を解決する手段】
上記の課題を解決するために、請求項１に記載の発明は、情報記録装置によりＤＶＤ−Ｒ（ＤＶＤ−Recordable）等の記録媒体に記録するための記録情報を、当該情報記録装置に対して出力する情報出力装置において、前記記録媒体を識別するための識別情報を前記情報記録装置から取得するＣＰＵ等の取得手段と、取得した前記識別情報を用いて前記記録情報を暗号化する暗号化手段と、暗号化された前記記録情報を前記情報記録装置に出力するインタフェース部等の出力手段と、を備える。
【手続補正３】
【補正対象書類名】明細書
【補正対象項目名】００１５
【補正方法】変更
【補正の内容】
【００１５】
上記の課題を解決するために、請求項３に記載の発明は、請求項１又は２に記載の情報出力装置において、前記情報記録装置において当該記録情報に対して前記識別情報を用いて施される暗号化の方式と同じ方式によって、前記暗号化手段は前記記録情報を暗号化することを特徴とする。
【手続補正４】
【補正対象書類名】明細書
【補正対象項目名】００１７
【補正方法】変更
【補正の内容】
【００１７】
上記の課題を解決するために、請求項４に記載の発明は、情報出力装置から出力される暗号化された記録情報を記録媒体に記録する情報記録装置であって、前記情報出力装置に対して前記記録媒体の識別情報を出力する識別情報出力手段と、暗号化された前記記録情報を前記情報出力装置から取得する記録情報取得手段と、取得された前記記録情報を、当該暗号化された記録情報の生成に用いられた前記識別情報に対応する前記記録媒体に記録する記録手段と、を備えることを特徴とする。
【手続補正５】
【補正対象書類名】明細書
【補正対象項目名】００２２
【補正方法】変更
【補正の内容】
【００２２】
上記の課題を解決するために、請求項６に記載の発明は、記録媒体に記録するための記録情報を情報記録装置に対して出力する情報出力装置と、当該出力された記録情報を前記記録媒体に記録する情報記録装置と、を含む情報出力記録システムにおいて、前記情報出力装置は、前記記録媒体を識別するための識別情報を前記情報記録装置から取得する取得手段と、取得した前記識別情報を用いて前記記録情報を暗号化する暗号化手段と、暗号化された前記記録情報を前記情報記録装置に出力する出力手段と、を備えると共に、前記情報記録装置は、前記情報出力装置に対して前記識別情報を出力する識別情報出力手段と、暗号化された前記記録情報を前記情報出力装置から取得する記録情報取得手段と、取得された前記記録情報を、当該暗号化された記録情報の生成に用いられた前記識別情報に対応する前記記録媒体に記録する記録手段と、を備えることを特徴とする。
【手続補正６】
【補正対象書類名】明細書
【補正対象項目名】００２５
【補正方法】変更
【補正の内容】
【００２５】
上記の課題を解決するために、請求項７に記載の発明は、情報記録装置により記録媒体に記録するための記録情報を、当該情報記録装置に対して出力する情報出力方法において、前記記録媒体を識別するための識別情報を前記情報記録装置から取得する取得工程と、取得した前記識別情報を用いて前記記録情報を暗号化する暗号化工程と、暗号化された前記記録情報を前記情報記録装置に出力する出力工程と、を備えることを特徴とする。
【手続補正７】
【補正対象書類名】明細書
【補正対象項目名】００２８
【補正方法】変更
【補正の内容】
【００２８】
上記の課題を解決するために、請求項８に記載の発明は、情報出力装置により出力される暗号化された記録情報を記録媒体に記録する情報記録方法であって、前記情報出力装置に対して前記記録媒体の識別情報を出力する識別情報出力工程と、暗号化された前記記録情報を前記情報出力装置から取得する記録情報取得工程と、取得された前記記録情報を、当該暗号化された記録情報の生成に用いられた前記識別情報に対応する前記記録媒体に記録する記録工程と、を備えることを特徴とする。
【手続補正８】
【補正対象書類名】明細書
【補正対象項目名】００３０
【補正方法】変更
【補正の内容】
【００３０】
上記の課題を解決するために、請求項９に記載の発明は、情報記録装置により記録媒体に記録するための記録情報を、当該情報記録装置に対して出力する情報出力装置に含まれるコンピュータを機能させるための情報出力制御プログラムが前記コンピュータで読取可能に記録された情報記録媒体であって、前記コンピュータを、前記記録媒体を識別するための識別情報を前記情報記録装置から取得する取得手段、取得した前記識別情報を用いて前記記録情報を暗号化する暗号化手段、及び、暗号化された前記記録情報を前記情報記録装置に出力する出力手段、として機能させることを特徴とする。
【手続補正９】
【補正対象書類名】明細書
【補正対象項目名】００３３
【補正方法】変更
【補正の内容】
【００３３】
上記の課題を解決するために、請求項１０に記載の発明は、情報出力装置から出力される暗号化された記録情報を記録媒体に記録する情報記録装置に含まれるコンピュータを機能させるための情報記録制御プログラムが前記コンピュータで読取可能に記録された情報記録媒体であって、前記コンピュータを、前記情報出力装置に対して前記記録媒体の識別情報を出力する識別情報出力手段、暗号化された前記記録情報を前記情報出力装置から取得する記録情報取得手段、及び、取得された前記記録情報を、当該暗号化された記録情報の生成に用いられた前記識別情報に対応する前記記録媒体に記録する記録手段、として機能させることを特徴とする。
【手続補正１０】
【補正対象書類名】明細書
【補正対象項目名】００９６
【補正方法】変更
【補正の内容】
【００９６】
請求項３に記載の発明によれば、請求項１又は２に記載の発明の効果に加えて、高速且つ保全性を高めて暗号化情報を出力することができる。